(57)【要約】【課題】小さい画面でも配送計画に関する入力内容を理解できるようにする。【解決手段】配送により生じる作業先についての情報（作業先関連情報）を入力するとその要約をクライアント２０内で作成し、その要約と他の入力情報を１画面中に表示する。【選択図】　　　　図１
2004059274.tif 000002
【特許請求の範囲】
【請求項１】
物品の作業先または物品の収集先のいずれかの作業先に関連する作業先関連情報を入力して、車両の搬送ルートを決定する配送計画作成システムにおいて、
前記作業先関連情報以外の情報を入力するための画面を表示画面に表示する表示手段と、
少なくとも１組の前記作業先関連情報を入力する入力手段と、
該入力手段から入力された作業先関連情報の要約を作成する情報処理手段と
を有し、前記表示手段は当該作成された要約を前記画面内に加えて表示することを特徴とする配送計画作成システム。
【請求項２】
請求項１に記載の配送計画作成システムにおいて、前記入力手段は、複数の作業先についての作業先関連情報の入力が可能であり、前記表示手段は前記入力手段から入力された順に対応させて、作業先関連情報を順に前記表示画面に表示することを特徴とする配送計画作成システム。
【請求項３】
請求項２に記載の配送計画作成システムにおいて、作業先の入力順に制約を設け、前記入力手段からの入力順が前記制約違反とならないかを判定する判定手段と、該判定手段により制約違反となった場合には、エラーを通知するエラー通知手段とをさらに具えたことを特徴とする配送計画作成システム。
【請求項４】
請求項２に記載の配送計画作成システムにおいて、前記要約を表示するための前記表示画面上の領域が予め定められており、該領域内の任意の位置を指定する位置指定手段と、当該指定に応じて、前記入力手段からの入力を可能とする制御手段とをさらに具えたことを特徴とする配送計画作成システム。
【請求項５】
請求項１に記載の配送計画作成システムにおいて、前記入力手段はさらに作業先の種類を選択する選択手段を有し、前記表示手段は該選択手段により選択された種類に対応させた作業先入力用画面を表示し、当該表示された作業先入力用画面から作業先関連情報の入力が行なわれることを特徴とする配送計画作成システム。
【請求項６】
物品の作業先または物品の収集先のいずれかの作業先に関連する作業先関連情報を入力して、車両の搬送ルートを決定する配送計画作成システムの配送計画作成方法において、
前記作業先関連情報以外の情報を入力するための画面を表示画面に表示する第１の表示ステップと、
少なくとも１組の前記作業先関連情報を入力する入力ステップと、
該入力ステップにおいて入力された作業先関連情報についての要約を作成する情報処理ステップと、
当該作成された要約を前記画面内に加えて表示する第２の表示ステップと
を具えたことを特徴とする配送計画作成システムの配送計画作成方法。
【請求項７】
請求項６に記載の配送計画作成システムの配送計画作成方法において、前記入力ステップでは、複数の作業先についての作業先関連情報の入力が可能であり、前記第２の表示ステップでは、前記入力ステップにおいて入力された順に対応させて、作業先関連情報を順に前記表示画面に表示することを特徴とする配送計画作成システムの配送計画作成方法。
【請求項８】
請求項７に記載の配送計画作成システムの配送計画作成方法において、作業先の入力順に制約を設け、前記入力ステップにおける入力順が前記制約違反とならないかを判定する判定ステップと、該判定ステップにおいて制約違反となった場合には、エラーを通知するエラー通知ステップとをさらに具えたことを特徴とする配送計画作成システムの配送計画作成方法。
【請求項９】
請求項７に記載の配送計画作成システムの配送計画作成方法において、前記要約を表示するための前記表示画面上の領域が予め定められており、該領域内の任意の位置を指定する位置指定ステップと、当該指定に応じて、前記入力ステップからの入力を可能とする制御ステップとをさらに具えたことを特徴とする配送計画作成システムの配送計画作成方法。
【請求項１０】
請求項６に記載の配送計画作成システムの配送計画作成方法において、前記入力ステップはさらに作業先の種類を選択する選択ステップと、当該選択された種類に対応させた作業先入力用画面を表示するステップと、当該表示された作業先入力用画面から作業先関連情報の入力を行なうステップとをさらに具えたことを特徴とする配送計画作成システムの配送計画作成方法。
【請求項１１】
配送の作業先に関連する作業先関連情報の要約を作業順に記載する複数の作業先記載欄と、
前記作業先関連情報以外の情報を記載する情報記載欄と
を具え、前記作業先記載欄および前記情報記載欄の書式を請求項１に記載の配送計画作成システムの表示画面に表示される表示内容の書式と同一としたことを特徴とするシート。
【請求項１２】
物品の作業先または物品の収集先のいずれかの作業先に関連する作業先関連情報を入力して、車両の搬送ルートを決定する配送計画を作成する情報処理装置において、
前記作業先関連情報以外の情報を入力するための表示画面に対応する情報を出力する手段と、
前記表示画面に対応する情報に基づいて少なくとも１組の前記作業先関連情報を受け入れる手段と、
該受け入れる手段から受け入れた作業先関連情報の要約を作成する情報処理手段とを備えたことを特徴とする情報処理装置。
【請求項１３】
物品の作業先または物品の収集先のいずれかの作業先に関連する作業先関連情報をクライアントから入力して、車両の搬送ルートをサーバで決定する配送計画作成システムのサーバにおいて、
前記作業先関連情報以外の情報を入力するための画面をクライアントの表示画面に表示し、少なくとも１組の前記作業先関連情報を前記クライアントから入力し、当該入力された作業先関連情報の要約を作成する情報処理手段と
を有し、当該作成された要約を前記クライアントの前記画面内に加えて表示することを特徴とする配送計画作成システムのサーバ。
【発明の詳細な説明】
【０００１】
【発明の属する技術分野】
本発明は、車両の配送計画を作成する配送計画作成システム、その方法、情報処理装置および配送計画作成システムのサーバに関する。
【０００２】
【従来の技術】
従来、コンピュータを使用して配送計画を作成する場合、縦に車両番号、横に作業先を示す表を画面に表示させ、表を埋める形で車両の配送ルートを示す配送計画を作成している。表は日付ごとに作成されて、コンピュータ内の記憶装置に記憶される。また、作業先に関する情報、たとえば、住所、氏名、電話番号等の情報は、個別に配送伝票の形態で作成されることが多いので、配送計画作成者は伝票を見ながらコンピュータ画面で配送計画を作成している。
【０００３】
【発明が解決しようとする課題】
上記表中に特定の車両の作業先に関する情報を多数記載するためには、表の大きさがとてつもなく大きくなってしまい、情報の入力に不向きである。
【０００４】
そこで、本発明の目的は、上述の点を考慮して、情報入力が容易で、その後の、入力情報の把握が容易な配送計画作成システム、その方法、情報処理装置および配送計画作成システムのサーバを提供することにある。
【０００５】
【課題を解決するための手段】
このような目的を達成するために、請求項１の発明は、物品の作業先または物品の収集先のいずれかの作業先に関連する作業先関連情報を入力して、車両の搬送ルートを決定する配送計画作成システム（例えば、サーバ１０およびクライアント２０）において、前記作業先関連情報以外の情報を入力するための画面を表示画面に表示する表示手段（例えば、クライアント２０のディスプレイ）と、少なくとも１組の前記作業先関連情報を入力する入力手段（例えば、図５の表示画面で情報入力を行なうクライアント２０のキーボードおよびマウス）と、該入力手段から入力された作業先関連情報の要約を作成する情報処理手段（例えば、ＨＴＭＬ文書に基づきブラウザにより要約を作成するクライアント２０のＣＰＵ）とを有し、前記表示手段は当該作成された要約を前記画面内に加えて表示することを特徴とする。
【０００６】
請求項２の発明は、請求項１に記載の配送計画作成システムにおいて、前記入力手段は、複数の作業先についての作業先関連情報の入力が可能であり、前記表示手段は前記入力手段から入力された順に対応させて、作業先関連情報を順に前記表示画面に表示することを特徴とする。
【０００７】
請求項３の発明は、請求項２に記載の配送計画作成システムにおいて、作業先の入力順に制約を設け、前記入力手段からの入力順が前記制約違反とならないかを判定する判定手段（例えば、図１１のステップＳ１１２またはＳ２１０の判定処理を実行するＣＰＵ）と、該判定手段により制約違反となった場合には、エラーを通知するエラー通知手段（例えば、クライアント２０のディスプレイ）とをさらに具えたことを特徴とする。
【０００８】
請求項４の発明は、請求項２に記載の配送計画作成システムにおいて、前記要約を表示するための前記表示画面上の領域が予め定められており、該領域内の任意の位置を指定する位置指定手段と、当該指定に応じて、前記入力手段からの入力を可能とする制御手段とをさらに具えたことを特徴とする。
【０００９】
請求項５の発明は、請求項１に記載の配送計画作成システムにおいて、前記入力手段はさらに作業先の種類を選択する選択手段を有し、前記表示手段は該選択手段により選択された種類に対応させた作業先入力用画面を表示し、当該表示された作業先入力用画面から作業先関連情報の入力が行なわれることを特徴とする。
【００１０】
請求項６の発明は、物品の作業先または物品の収集先のいずれかの作業先に関連する作業先関連情報を入力して、車両の搬送ルートを決定する配送計画作成システムの配送計画作成方法において、前記作業先関連情報以外の情報を入力するための画面を表示画面に表示する第１の表示ステップと、少なくとも１組の前記作業先関連情報を入力する入力ステップと、該入力ステップにおいて入力された作業先関連情報についての要約を作成する情報処理ステップと、当該作成された要約を前記画面内に加えて表示する第２の表示ステップとを具えたことを特徴とする。
【００１１】
請求項７の発明は、請求項６に記載の配送計画作成システムの配送計画作成方法において、前記入力ステップでは、複数の作業先についての作業先関連情報の入力が可能であり、前記第２の表示ステップでは、前記入力ステップにおいて入力された順に対応させて、作業先関連情報を順に前記表示画面に表示することを特徴とする。
【００１２】
請求項８の発明は、請求項７に記載の配送計画作成システムの配送計画作成方法において、作業先の入力順に制約を設け、前記入力ステップにおける入力順が前記制約違反とならないかを判定する判定ステップと、該判定ステップにおいて制約違反となった場合には、エラーを通知するエラー通知ステップとをさらに具えたことを特徴とする。
【００１３】
請求項９の発明は、請求項７に記載の配送計画作成システムの配送計画作成方法において、前記要約を表示するための前記表示画面上の領域が予め定められており、該領域内の任意の位置を指定する位置指定ステップと、当該指定に応じて、前記入力ステップからの入力を可能とする制御ステップとをさらに具えたことを特徴とする。
【００１４】
請求項１０の発明は、請求項６に記載の配送計画作成システムの配送計画作成方法において、前記入力ステップはさらに作業先の種類を選択する選択ステップと、当該選択された種類に対応させた作業先入力用画面を表示するステップと、当該表示された作業先入力用画面から作業先関連情報の入力を行なうステップとをさらに具えたことを特徴とする。
【００１５】
請求項１１の発明は、配送の作業先に関連する作業先関連情報の要約を作業順に記載する複数の作業先記載欄と、前記作業先関連情報以外の情報を記載する情報記載欄とを具え、前記作業先記載欄および前記情報記載欄の書式を請求項１に記載の配送計画作成システムの表示画面に表示される表示内容の書式と同一としたことを特徴とする。
【００１６】
請求項１２の発明は、物品の作業先または物品の収集先のいずれかの作業先に関連する作業先関連情報を入力して、車両の搬送ルートを決定する配送計画作成する情報処理装置において、前記作業先関連情報以外の情報を入力するための表示画面に対応する情報を出力する手段と、前記表示画面に対応する情報に基づいて少なくとも１組の前記作業先関連情報を受け入れる手段と、該受け入れる手段から受け入れた作業先関連情報の要約を作成する情報処理手段とを備えたことを特徴とする。
【００１７】
請求項１３の発明は、物品の作業先または物品の収集先のいずれかの作業先に関連する作業先関連情報をクライアントから入力して、車両の搬送ルートをサーバで決定する配送計画作成システムのサーバにおいて、前記作業先関連情報以外の情報を入力するための画面をクライアントの表示画面に表示し、少なくとも１組の前記作業先関連情報を前記クライアントから入力し、当該入力された作業先関連情報の要約を作成する情報処理手段とを有し、当該作成された要約を前記クライアントの前記画面内に加えて表示することを特徴とする。
【００１８】
なお、本発明を理解するために上記（）で表現した個所に、本発明の構成要件と対応する実施形態の構成部を示したが、実施形態の構成部は説明のための一例であって、その構成部を本発明の構成要件として限定する必要はない。
【００１９】
【発明の実施の形態】
以下、図面を参照して本発明の実施形態を詳細に説明する。
【００２０】
図１は本発明を適用した配送計画作成システムのシステム構成を示す。
【００２１】
図１において、サーバ１０に対して複数のクライアント２０が通信ネットワーク３０に接続されている。クライアント２０は端末としての機能を有する。サーバ１０はホストとしての機能を有し、クライアント２０から入力された情報に基づいてサーバ１０が配送計画を作成する。サーバ１０およびクライアント２０の市販のハードウェア（コンピュータ）、すなわちディプレイ、情報入力用のマウス、キーボードおよびソフトウェアを実行するＣＰＵ等を有するコンピュータを使用することができる。
【００２２】
図３は、本発明にかかるサーバのハードウェア構成の一例を示すブロック図である。なお、クライアントのＰＣはサーバと同様のハードウェア構成とすることができる。サーバは、サーバ全体の制御を行う中央処理装置（Ｃｅｎｔｒａｌ　Ｐｒｏｃｅｓｓｏｒ　Ｕｎｉｔ；ＣＰＵ）１０−５と、図１０および図１１に示すフローのサーバに対応したプログラムが格納されたＲＯＭ（Ｒｅａｄ　Ｏｎｌｙ　Ｍｅｍｏｒｙ）１０−１と、プログラムの実行に必要な一時データ格納領域を提供するＲＡＭ（Ｒａｎｄｏｍ　Ａｃｃｅｓｓ　Ｍｅｍｏｒｙ）１０−３とを備え、これらがバス１０−１７を介して接続されている。また、サーバは、サーバの保守用のデータを入力するための入力装置１０−７と、保守管理のための表示装置１０−１１、カーソル制御装置１０−１３と、インターネットとの接続を行う通信装置１０−９と、商品情報、顧客情報等とともに発注状況等および配送計画を登録するデータベースとしての補助記憶装置１０−１５とを備え、これらがバス１０−１７とインタフェース１０−１９を介してＣＰＵ１０−５に接続されている。
【００２３】
入力装置１０−７は、例えばキーボードなどにより構成され、文字や数字などを入力するときに操作される。通信装置１０−９は、例えばインターネット／ＷＷＷ（Ｗｏｒｌｄ　Ｗｉｄｅ　Ｗｅｂ）へのデータ通信接続を可能とする統合サービスディジタル網（ＩＳＤＮ）カード、またはモデムとすることができる。表示装置１０−１１は、プリンタやディスプレイを使用することができる。なお、本実施形態では文字や画像などの表示を行うＣＲＴ、ＬＣＤなどのディスプレイを想定している。補助記憶装置１０−１５はハードディスクなどにより構成され、比較的高速にアクセスする必要のあるデータやプログラムなどを適宜記憶する。
【００２４】
また、サーバの補助記憶装置１０−１５にはデータベースが構築される。データベースには、商品に関するデータ、在庫情報に関するデータおよび発注元に関するデータが登録されるが、これに限られない。商品に関するデータは、商品名、商品コード、単価等を含む。在庫情報に関するデータは、倉庫名、倉庫コード、在庫商品の商品コード、在庫商品の個数等を含む。発注元に関するデータは、発注元の名称、届け先、部署、郵便番号、電話番号、住所（所在地）、住所コード、担当者等を含む。届け先の住所コードと届け先に商品を配送する出庫元の倉庫コードとは対応付けて定義され、住所コードを参照すると出庫元が判別出来るようになっている。更に配送の為のデータも記憶されている。
【００２５】
図２は、図１に示すクライアント２０のＰＣのハードウェア構成の一例を示すブロック図である。クライアントのＰＣは、ＰＣ全体の制御を行う中央処理装置（Ｃｅｎｔｒａｌ　Ｐｒｏｃｅｓｓｏｒ　Ｕｎｉｔ；ＣＰＵ）２０−５と、図１０および図１１に示すフローのクライアントに対応するプログラムが格納されたＲＯＭ（Ｒｅａｄ　Ｏｎｌｙ　Ｍｅｍｏｒｙ）２０−１と、プログラムの実行に必要な一時データ格納領域を提供するＲＡＭ（Ｒａｎｄｏｍ　Ａｃｃｅｓｓ　Ｍｅｍｏｒｙ）２０−３を備え、これらがバス２０−１７を介して接続されている。また、ＰＣは、ＰＣのデータを入力するための入力装置２０−７と、インターネットとの接続を行う通信装置２０−９と、サーバからクライアントのＰＣに送信される情報に基づいて表示画面を生成する表示装置２０−１１、クライアントのキーボードから受信した制御信号に基づいて表示画面のカーソルを制御するカーソル制御装置２０−１３と、検索結果などの商品情報、顧客情報等とともに発注状況等を記憶するメモリとしての補助記憶装置２０−１５とを備え、これらがバス２０−１７とインタフェース２０−１９を介してＣＰＵ２０−５に接続されている。
【００２６】
入力装置２０−７は、例えばキーボードなどにより構成され、文字や数字などを入力するときに操作される。通信装置２０−９は、例えばインターネット／ＷＷＷ（Ｗｏｒｌｄ　Ｗｉｄｅ　Ｗｅｂ）へのデータ通信接続を可能とする統合サービスディジタル網（ＩＳＤＮ）カード、またはモデムとすることができる。表示装置２０−１１は、プリンタやディスプレイを使用することができる。なお、本実施形態では文字や画像などの表示を行うＣＲＴ、ＬＣＤなどの表示体を利用するディスプレイを想定している。補助記憶装置２０−１５はハードディスクなどにより構成され、比較的高速にアクセスする必要のあるデータやプログラム等を適宜記憶する。
【００２７】
通信ネットワークはＬＡＮ（広域ネットワーク、インターネットのような専用電話回線、その他、利用可能な周知の通信ネットワークを使用することができる。
【００２８】
クライアント２０のＲＯＭ２０−１或いは補助記憶装置２０−１５には、ＨＴＭＬ（ハイパー・テキスト・マークアップ・ランゲージ）文書などのマークアップ文書を解析して表示するソフト（一般にブラウザと呼ばれる）が搭載されている。
【００２９】
サーバ１０のＲＯＭ１０−１或いは補助記憶装置１０−１５に搭載するソフトウェアを図４に示す。図４において、ＷＥＢサーバ１００は、クライアント２０と通信を行なうためのソフトである。ＷＥＢサーバ１００には市販のソフトを使用することができる。ＷＥＢサーバ１００はクライアント２０のブラウザが要求するＨＴＭＬ文書をサーバ１０内の補助記憶装置のハードディスクから読み出して、クライアント２０に送信する機能と、上記ブラウザから送られるコマンドを上述のゲートウェイプログラム１２０に転送する機能を有する。
【００３０】
ＨＴＭＬ文書１１０はクライアント２０により読み出され、クライアント２０のブラウザにより解析されて、クライアント２０の表示装置２０−１１の表示画面に表示される。ゲートウェイプログラム１２０は、コモン・ゲートウェイ・インターフェースなどが知られているが、ＷＥＢサーバ１００を介してブラウザから受信したコマンドを実行する。本実施形態に係る処理としてはデータベース１３０に対する情報の書込み、読み出し、検索、四則演算等がある。
【００３１】
データベース１３０は補助記憶装置上に設けられ、配送計画作成のためにクライアント２０から入力された情報や、作成した配送計画を記憶する。
【００３２】
ここで、ＨＴＭＬ文書（ＨＴＭＬ文書を拡張したＸＭＬ文書等もＨＴＭＬ文書に含まれる）について簡単に説明しておく。
【００３３】
ＨＴＭＬ文書には、表示する文字列、タグと呼ばれる命令、スクリプトと呼ばれる命令群等を記載する。
【００３４】
タグで規定することができる代表的な事項は以下のとおりである。
（１）表示する文字の書体、大きさ、色、表示の位置等
（２）表示する表の定義、たとえば、行とフィールド数（列数）、それらの大きさ
（３）表示するイメージをサーバ１０から読み出すための読み出し命令
（４）情報の入力を受けつける入力欄の表示、および入力を受付け、サーバ１０のゲートウェイプログラム１２０に入力情報を送り、情報処理を支持すること
（５）ゲートウェイプログラム１２０から情報処理結果を受け取り、画面に表示させること
（６）他のＨＴＭＬ文書を呼び出すこと
（７）ボタンを表示し、ボタンの操作に応じて予め規定された情報処理の実行をサーバ１０に対して指示し、サーバ１０から受け取った情報処理結果を表示すること
（８）その他
【００３５】
スクリプトで規定することができる代表的な事項は以下のとおりである。
（１）ブラウザに付属されている複数のプログラム（アプレットなどと呼ばれる）に情報処理を実行させること、本発明に係る後述のドラッグおよびドロップ処理もスクリプトで実現可能である。また、四則演算やタグと同様の命令をスクリプト中で規定することもできる。
【００３６】
本実施形態では、このようなＨＴＭＬ文書により後述される画面が定義され、を使用して、クライアント２０の表示装置に表示される情報入力画面を作り、またその画面を表示し、その画面を介して配送計画作成のための情報入力を行なう。また、その情報入力のためのＧＵＩ（グラフィカル・ユーザ・インタフェース）にも新規特徴がある。
【００３７】
当業者であれば、後述の入力画面の説明およびシステム動作説明で、ＨＴＭＬ文書を作成することが可能であろう。
【００３８】
システム動作に先立って、上記ＨＴＭＬ文書により実現される入力画面を図５〜図９を参照して説明する。
【００３９】
図５は１台の車両が物品を配送する場合に、その配送に関する情報を入力するための入力画面を示す。図５において、３０１は配送に割り当てられた番号（配送サービスＮｏ）や配送に関連する部署名などを入力する欄であり、複数の作業先に共通する関連情報を入力する。この共通情報は、輸送会社ごとに異なるので、適宜、好適な情報入力欄を設ければよい。
【００４０】
３０２〜３０４は複数の作業先に関する情報を個別に表示する欄である。本実施形態では、未入力の状態では、表示領域３０２〜３０４は白紙の状態である。このとき、表示領域３０２内のいずれかの位置を入力装置２０−７のマウスにより指定すると（正確には、表示領域３０２内にマウスカーソルを位置させて、マウスの左ボタンをクリックすると）、作業先関連情報を入力するモードが設定されて、図６の作業先選択ボタンが表示される。図６の作業先選択ボタン４０１の所定のボタン、通常、最初は「倉庫」ボタンをマウスにより操作すると選択されたボタンに対応する作業先（この場合、倉庫）に関連する情報を入力するための入力画面が表示される。また、不図示の「閉じる」ボタンを操作すると図７の画面から図５の画面に戻ることができる。「次作業先」ボタン（不図示）を操作すると、図６の作業先選択ボタンが表示されるので、システムユーザは他の作業先の入力画面を選択して情報入力を行なう。
【００４１】
図７の画面で「閉じる」ボタンを操作すると、図７の画面で入力された情報の中の予め定められた項目に関する情報が要約として図５の表示領域３０２に表示される。なお、複数の作業先の情報入力画面を表示してキーボードやマウスを使用して情報入力を行なった場合、たとえば、２つの作業先に関連する情報を入力した後、「閉じる」ボタンを操作した場合には、図８に示すように表示領域３０２および３０３に要約が表示される。
【００４２】
ここで、留意して欲しい点は、作業先関連情報の入力順を作業予定順とすることによって、要約の表示が車両の配送経路に沿って表示されることである。また、作業先関連情報の中の重要項目を要約として表示するので、表示画面を広く取る必要がない。また、表示画面の表示内容をシートに印刷する場合も、シートをたとえば、Ａ４サイズなどの通常、よく使用されるシートサイズとすることができる。
【００４３】
このようにして１台の車両の作業先関連情報（共通情報と、個別の作業先情報）をクライアント２０側で入力すると入力された情報は、クライアントのＲＡＭ２０−３からサーバ１０のデータベース１３０の所定のエリアに登録される。
【００４４】
複数台の車両の配送計画を立案するための入力画面を図９に示す。なお、予め各車両の配送関連情報（図５〜図８の画面で入力された情報）がデータベース１３０に入力されているものとする。
【００４５】
図９の画面において、表示領域は大きく表示領域７０１と表示領域７１０の２つに分割されている。表示領域７０１はサービスＮｏ、配送地域および作業先をフィールドとする表（依頼一覧と称す）を表示する領域である。表示領域７１０はルートコード（配送経路に割り当てられた識別番号で、図５の画面で入力される情報）、これまでに配送が設定された物品の（総）重量、配送時刻等をフィールドとする表（配送計画と称する）を表示する領域である。
【００４６】
その他の表示領域には検索条件、より具体的には上記依頼一覧および配送計画に関する情報をデータベース１３０から検索するための検索条件を入力するための入力・表示欄７１１や、画面の表示形態を設定するためのボタン７０２、７０４、７０５が設けられている。
【００４７】
以下、図９のボタンや入力・表示欄について説明する。
【００４８】
ボタン７０２は表示領域７０１および７１０を表示させるボタンである。本実施形態では、表示領域７０１のみまたは表示領域７１０のみを画面全体に表示させることができ、その画面を元の２つの表示領域の表示に戻すときに、ボタン７０２を使用する。
【００４９】
表示領域７０３は、画面に表示されている配送依頼案件の総数を表示する領域である。ボタン７０４は表示領域７０１または表示領域７１０を画面全体に拡大表示するための指示ボタンである。ボタン７０４は表示領域７０１および７１０に対応させて２つ設けられている。設定欄７０５は表示領域７１０の表で表示される情報の文字サイズを設定する欄である。
【００５０】
設定欄７０６は、表示領域７０１または７１０の表の内に表示する情報（コマと称する）７０７の種類内容を設定する欄であり、本実施形態では、作業先住所、配送サービスＮｏ、作業先名のいずれかを選択することができる。ロックボタン７０７は表の行ごとに設けられており、マウスの操作でレ記号が付された状態ではコマの移動が禁止され、コマを移動させることができない。
【００５１】
ボタン７０９は入力の終了を指示するボタンであり、このボタン７０９が操作されると、図９の画面で表示されている情報と同じ情報がデータベース１３０の対応記憶領域に上書き記憶される。
【００５２】
入力・表示欄７１１は配送一覧に表示する情報を検索するためのクエリー（キーとも称する）を入力する。本実施形態では、倉庫名、便機能分類、配送日等をクエリーとして入力することができ、さらに、オプションとして、時刻指定がある案件、付帯的な作業がある依頼案件、下見を要する依頼案件、特殊作業がある依頼案件、配送車両の車高制限がある依頼案件を検索条件として指定することができる。
【００５３】
本実施形態では、多数の新規特徴を有するが、表領域７０１に表示される依頼一覧の中のコマ（表の中に表示される情報）をマウスでドラッグおよびドロップして、表示領域７１０の配送計画の表の任意の位置に配置させることにより配送計画を作成することに新規特徴の１つがある。
【００５４】
以上の点を踏まえて、図１のシステムの動作を図１０および図１１のフローを参照して説明する。
【００５５】
複数のクライアント２０は、各営業所および本社の配送計画立案者のそばに配置されており、サーバ１０は本社に設置されているものとする。
【００５６】
物品の配送の依頼を受けた営業所では、システムユーザがクライアント２０のブラウザを使用して、図５の画面用のＨＴＭＬ文書をサーバから呼び出す。通常は、そのＨＴＭＬ文書の格納ディレクトリ（ＵＲＬと呼ばれる）を入力することにより、図５の画面用のＨＴＭＬ文書を呼び出すことができる。
【００５７】
システムユーザが、図５〜図７の画面で、作業先、すなわち、物品が保管された倉庫、その物品を配送する顧客、顧客から受け取った物品を搬送する搬送先などの作業先に関連する情報および、これら作業先に共通する情報に関する情報入力をクライアント２０で行なうと、クライアント２０のＲＡＭ２０−３のワークエリアに入力された情報は、書込みコマンド（ＨＴＭＬ文書中に記載された書込みコマンド）とともにサーバ１０に送られる。
【００５８】
サーバ１０では、ＷＥＢサーバ１００によりクライアント２０から送られる図５の画面用のＨＴＭＬ文書の要求に応じて、該当のＨＴＭＬ文書１１０をクライアント２０に送信する。次にクライアント２０で図５の画面により入力される情報が受信され、ゲートウェイプログラム１２０に引渡される。ゲートウェイプログラム１２０は書込み命令に基づき、データベース１３０に上記配送に関する個別情報および共通情報をデータベースに登録する。
【００５９】
本社の配送計画立案者はクライアント２０を使用して、図９の画面用のＨＴＭＬ文書をサーバ１０から呼び出す。配送計画立案者は、配送計画の日付、検索条件を図９の画面を使い入力装置２０−７から入力する。入力された検索条件と、検索コマンド（ＨＴＭＬ文書内で定義）とがクライアント２０からサーバ１０に送られる。
【００６０】
サーバ１０のＷＥＢサーバ１００を介して検索コマンドと検索条件を受信したゲートウェイプログラム１２０は、データベース１３０に対して検索をかけ、検索条件に合致した情報（登録された作業先関連情報）を抽出する。抽出された情報、すなわち、検索結果がＷＥＢサーバ１００を介してサーバ１０からクライアント２０に送られる。
【００６１】
クライアント２０のブラウザは受信した検索結果を、図９の画面の表示領域７０１の表、すなわち、依頼一覧に表示させる。図９の「１」という表記のフィールドには図５の作業先１にその要約が貼り付けられた作業先関連情報を示す情報（この場合、作業先住所）がＨＴＭＬ文書のタグまたはスクリップトの指示に基づき表示される。
【００６２】
同様にして図９のフィールドには図５の作業先２に要約が貼り付けられた作業先関連情報の中の作業先住所所がＨＴＭＬ文書のタグまたはスクリップトの指示に基づき表示される。
【００６３】
クライアント２０内のＲＡＭ２０−３内のワークメモリ内には依頼一覧および作業計画のコマに対応する作業先情報（図５の画面で入力された複数のデータ集合、データセットと称する）を記憶するための記憶領域が用意される。
【００６４】
また、表示領域７１０のルートレコードのフィールドには、データベース１３０から抽出され、クライアント２０に送信された情報の中のルートレコードに関する情報が表示され、その他のフィールドは空欄のままとなる。
【００６５】
表示する情報は設定欄７０６で選択された種類に対応する情報が、受信した情報の中から抽出される。図９の例では表示領域７０１の依頼一覧では作業先住所が表内に表示され、表示領域７１０の配送計画では配送サービスＮｏが、表内に表示される。
【００６６】
配送立案者は依頼一覧の中の特定のコマ（表の中の文字列）、たとえば、符号７１２で示すコマをマウスで指定した後、ドラッグして配送計画の表内の所定の位置、すなわち、ルートレコードまたは地域が合致する行で、配送したい時刻の列の位置にドロップする。これにより、コマ７１２で指定されたデータセットがＲＡＭ２０−３内のワークメモリ内の依頼一覧の該当記憶領域（マウスで最初に指定したコマに対応する記憶領域）からＲＡＭ２０−３内のワークエリア内の配送計画の該当記憶領域（マウスでドロップした位置に対応する記憶領域）にコピー記憶される。また、ボタン７０６で指定された情報、この場合、配送Ｎｏがコピー記憶した情報から取り出されて、配送計画内のドロップ位置に表示される。なお、図９では、ドロップされる前の状態を表示している。
【００６７】
このようなドラッグおよびドロップ操作を行うことで（図１０のステップＳ１０〜Ｓ３０の処理）、クライアント２０のブラウザは指定されたコマの作業先関連情報のデータセットがＲＡＭ２０−３内のワークメモリ内の依頼一覧領域から作業計画一覧領域にコピー記憶されて、作業計画、すなわち、依頼された物品を運ぶ、ルートおよび時刻が決定される（ステップＳ４０〜Ｓ５０）。これら一連の処理はＨＴＭＬ文書のスクリプトの定義にしたがって、クライアント２０側で実行される。
【００６８】
さらに、ドロップ処理された行については、その行に配置された作業案件のデータセットの中の物品重量が合計されて重量フィールドの表示が更新される。
【００６９】
以上の処理を作業先ごとに繰り返すと、作業計画が完成する。
【００７０】
配送計画立案者が図９の画面を印刷させた後、図９の「確定」ボタン７０９をマウスで操作すると、ＲＡＭ２０−３内のワークメモリの配送計画領域に記憶されたデータセットがクライアント２０からサーバ１０に送られて、ゲートウェイプログラム１２０によりデータベース１３０の専用領域に書き込まれる。
【００７１】
配送計画立案者が、配送計画の修正を行ないたい場合には、図９の画面で検索条件を入力すると、検索条件に合致し、依頼一覧にコマとして表示するデータセットおよび配送計画一覧にコマとして表示すべきデータセットがデータベース１３０から読み出されて、クライアントの図９の画面に表示される。計画立案者は、配送計画一覧のコマをドラッグおよびドロップ操作すると、ＲＡＭ２０−３内のワークメモリ上のデータセットもコマの移動に対応して、記憶領域が移動する。「確定」ボタン７０９の操作に応じて、変更後の依頼一覧および配送計画のデータセットがサーバ１０のデータベース１３０に上書き記憶される。
【００７２】
データベース１３０から配送計画関連のデータセットを取り出すためには以下の処理を行なえばよい。検索条件に合致する作業先関連のデータセットの中にはルートレコードが含まれているので、そのルートレコードに合致するデータセットをデータベース１３０の作業計画データセット記憶領域から簡単に取り出すことができる。
【００７３】
このように図９の表示画面で配送計画を作成した後、作成した書類を印刷し、印刷結果に基づき、輸送車両の手配を行なう。
【００７４】
本実施形態では、さらに、図５の作業先の要約の表示が作業順（配送および物品の収集の作業順）となるように作業順をチェックする機能を持たせている。このための処理手順を図１１に示す。この処理手順に対応する入力処理を実行可能なように図５〜図９の画面用のＨＴＭＬ文書のタグおおびスプリプトが定義されている。
【００７５】
作業順の制約のチェックのための判断基準は以下の通りである。
基準（１）：図５の作業先１にくる作業先は保管先（収集した物品を保管する場所）であってはならない。
基準（２）：「倉庫」が作業先として選択される場合は、作業先２以降であってはならない。
基準（３）：作業先への配送品または作業先から受け取る廃棄商品（収集する物品）に関して制約を設ける。制約は物品の内容や、作業先での車高制限の有無である。
【００７６】
図１１を参照して上記チェック機能を説明する。システムユーザは図５の画面で作業先１の領域３０２を指定して、作業先選択ボタン（作業先タグ）を図６の４０１で操作すると、かかる操作が認識され、次の処理が行われる（ステップＳ１００→Ｓ１１０）。ここで、システムユーザが「保管先」ボタンを操作すると、ステップＳ１１２で、ＣＰＵ２０−５により操作されたボタンの種類判別が行なわれ、上記基準（１）の違反、すなわち、「保管先」ボタンの操作が検出されて、エラー表示がなされる（ステップＳ１１５）。また、入力情報が無効化される。
【００７７】
また、上記作業先選択ボタンで「顧客」ボタンを選択すると、かかる操作がＣＰＵ２０−５により認識され、入力画面がＲＯＭ２０−１若しくは補助記憶装置２０−１５から導かれ、表示装置２０−１１に顧客情報に関する入力画面（不図示）が現れる。この画面で情報入力を行なった後、図７などのように作業先関連情報入力画面の右上に設置されている「次作業先」ボタン５０２を操作すると、かかる操作が認識され、図６の作業先選択ボタンが画面上に表示される（ステップＳ１３０→Ｓ２００）。システムユーザがまちがって倉庫を作業先として選択した場合には、ステップＳ２１０で上記基準（２）の違反が検出されて画面上にエラー表示がなされる（ステップＳ２０５）。
【００７８】
また、システムユーザが他の作業先を選択した場合には、「次作業先」ボタンの操作に応じてステップＳ２００〜Ｓ２３０のループ処理により新たに「倉庫」選択ボタンが操作されたか否かがＣＰＵ２０−５によりチェックされる（ステップＳ２１０）。
【００７９】
入力作業が終了して、システムユーザが「閉じる」ボタンを操作すると、これまでに入力された作業先関連情報の要約が、画面上の図５の表示領域３０２〜３０４に表示される（ステップＳ２４０→Ｓ２５０）。最後に、ステップＳ２６０で、上記基準（３）の違反の有無がＣＰＵ２０−５により判定される。違反が生じた場合には、エラー表示が画面上になされ入力が無効化される（ステップＳ２６５）。
【００８０】
以上の処理は複数の作業先が選択された場合の処理であるが、作業先が１つしか選択されなかった場合には、手順はステップＳ１００〜Ｓ１６０へと進み、ステップＳ１６０で上記基準（３）違反の有無がＣＰＵ２０−５により判定される。違反が検出された場合にはエラー表示が画面上になされ、入力情報が無効化される。
【００８１】
このような処理手順によりシステムユーザの作業先の選択順をチェックすることで、システムユーザの設定した作業先の順番が通常ありえない車両の搬送ルートにならないようにすることができる。
１）上述の実施形態では図５の画面で作業先の情報入力を行なうようにしている。しかしながら、図５の画面表示で、入力情報が空欄となっている状態と同じ記載内容を有するシートを予め用意しておき、必要事項を、手書きで記載するようにしてもよい。この場合には、このようなシートを使用すると、配送計画作成システムを使用しない場合の配送計画の管理に役立つ。図５の画面入力において、シートの書式（入力欄の配置および表記）と表示画面の書式が同じなので、コンピュータの操作に詳しくないものも容易に情報入力を行なうことができる。
【００８２】
シートはクライアント２０に接続されたプリンタにより印刷してもよいし、別途印刷してもよい。
２）上述の実施形態ではＨＴＭＬ文書でクライアント側の入力画面を作成していたが、ＨＴＭＬ文書の機能と同じ機能を提供するようなプログラムをクライアント側に搭載してもよい。
３）上述のシステムではクライアントおよびサーバで配送計画作成システムを構築したが、端末とホストコンピュータでシステムを構築してもよいし、１台のコンピュータでシステムを構築してもよい。
４）上述の実施形態でクライアント２０が実行した情報処理をサーバ１０側で一部負担してもよいこと勿論である。
５）上述の実施形態では、ＨＴＭＬ文書を使って説明したが他の方法・手段により上述と同様の機能・処理を実現することは勿論である。
【００８３】
上述の実施形態は本発明を説明するための一形態であって、本発明の技術思想に基づき、上記実施形態に対する種々の変形が可能であるが、本願明細書にその変形例が記載されていなくても、変形が自明、周知、公知であり、本願の特許請求の範囲に記載された発明の示す技術思想に基づく種々の変形は、本願発明の技術範囲内となる。
【００８４】
【発明の効果】
以上、説明したように本発明によれば、物品の作業先または物品の収集先のいずれかの作業先に関連する作業先関連情報を入力して、車両の搬送ルートを決定する配送計画作成システムにおいて、前記作業先関連情報以外の情報を入力するための画面を表示画面に表示する表示手段と、少なくとも１組の前記作業先関連情報を入力する入力手段と、該入力手段から入力された作業先関連情報の要約を作成する情報処理手段とを有し、前記表示手段は当該作成された要約を前記画面内に加えて表示することで、ユーザの確認が容易となる。また、ユーザの判別が容易となる。
【図面の簡単な説明】
【図１】本発明実施形態のシステム構成を示すブロック図である。
【図２】クライアント２０のＰＣのハードウェア構成の一例を示すブロック図である。
【図３】サーバ１０のハードウェア構成の一例を示すブロック図である。
【図４】サーバ１０に搭載されるソフトウェアを示す説明図である。
【図５】作業先関連の情報を入力、表示するための画面を示す説明図である。
【図６】作業先選択ボタンの表示例を示す説明図である。
【図７】作業先関連情報の入力が面の一例を示す説明図である。
【図８】作業先関連情報の要約の表示例を示す説明図である。
【図９】配送依頼の一覧および配送計画を表示する画面を示す説明図である。
【図１０】配送計画のための処理内容を示すフローチャートである。
【図１１】作業先関連情報の入力処理内容を示すフローチャートである。
【符号の説明】
１０　サーバ
２０　クライアント
３０　通信ネットワーク
【図１】
2004059274.tif 000003
【図２】
2004059274.tif 000004
【図３】
2004059274.tif 000005
【図４】
2004059274.tif 000006
【図５】
2004059274.tif 000007
【図６】
2004059274.tif 000008
【図７】
2004059274.tif 000009
【図８】
2004059274.tif 000010
【図９】
2004059274.tif 000011
【図１０】
2004059274.tif 000012
【図１１】
2004059274.tif 000013